(57)【要約】      （修正有）【課題】軒の上で安全に負荷を支持し、接合しようとする接合対象部分を除いた接合部分に取り付けられ、安全に作業が出来る屋根接合機械の作業開始及び終了用の足場を提供する。【解決手段】屋根の接合機械の作業開始および終了用の足場50は、接合部分に入れられるスロット18を有するチャンネル部材16を固定したアーム12を夫々に備えた１組の支持部材と、前記アームの反対側の端部から上方に延設される垂直なコラム24と、前記アームを前記コラムの一つに夫々接続する手段と、前記各コラムの内部に受け入れられ接続する端部を有するハンドル34とを含むフレームとを含む。屋根の縁部を越えた場所での荷重を支持するための足場は、フレームに対して回転自在に接続する１組の蝶番的な稜部材28で接続される。【選択図】図１
2004308417.tif 000002
【特許請求の範囲】
【請求項１】
金属屋根の縁部に対して垂直であり、かつ互いに平行な接合部を有した屋根の前記縁部で屋根の接合機械を支える装置であって、
前記屋根の上に置かれるフレームと、
前記フレームに対して蝶番的に取り付けられる足場とを備え、
前記フレームは前記屋根の平行な接合部分に夫々かみ合う手段を有する１組の支持部材を含むことを特徴とする装置。
【請求項２】
前記各支持部材は、アームと、前記アームの端部で屋根接合部にかみ合う手段と、前記アームの対向端部から上方に延設される垂直なコラムとを具備し、
各アームを前記コラムの一つに接続する手段と、前記コラムの間に接続されるハンドルとを、さらに具備することを特徴とする請求項１に記載の装置。
【請求項３】
前記足場の上向きのピボット式運動を許容し、下向きのピボット式運動を制限するための制限手段を、さらに具備することを特徴とする請求項１に記載の装置。
【請求項４】
前記制限手段は、前記コラムと前記足場の間に延設されるワイヤケーブルであることを特徴とする請求項３に記載の装置。
【請求項５】
前記接合部分に夫々かみ合う手段は、前記アームの長手方向に平行に延設されたスロットを有するチャンネル部材であって、前記スロットから屋根の接合部が突出して、前記装置を屋根に固定するために適用される留め金具の使用を可能にしたことを特徴とする請求項１に記載の装置。
【請求項６】
前記蝶番的に取り付けられる手段は、前記アームに取り付けられる稜部材を含むことを特徴とする請求項１に記載の装置。
【請求項７】
前記足場は、１組の側壁と、屋根上の波形部に干渉しないように前記側壁の間に高く延設される波形部を有することを特徴とする請求項１に記載の装置。
【請求項８】
金属屋根の縁部に対して垂直であり、かつ互いに平行な接合部を有した屋根の前記縁部で屋根の接合機械を支える装置であって、
前記接合部分に入れられるスロットを有するチャンネル部材を固定したアームを夫々に備えた１組の支持部材と、前記アームの反対側の端部から上方に延設される垂直なコラムと、前記アームを前記コラムの一つに夫々接続する手段と、前記各コラムの内部に受け入れられ接続する端部を有するハンドルとを含むフレームと、
足場と、
前記足場を前記フレームに対して回転自在に接続する蝶番的な稜部材とを具備することを特徴とする装置。
【発明の詳細な説明】
【技術分野】
【０００１】
この発明は、屋根の接合機械の作業開始および終了用の足場に関連する。
【背景技術】
【０００２】
接合部分を立てることによって縁部方向に接合されたパネル部材から形成される屋根を有した建築物が一般的である。この接合部分は、屋根の棟から夫々の軒に対して垂直となるように、傾斜面に沿うように軒まで通常形成される。
【０００３】
このような屋根のパネル部材には、予めパネル部材に予め形成された垂直なフランジを機械で折り重ねて波形にすることで、屋根の面上から立ち上がる接合部分が形成される。このような機械の一つがアメリカ特許第4989308号に示されている。この機械は最初に手で上記のフランジの上にセットされ、接合部分の端から手で取り外されなければならない。このように屋根の縁で機械を持ち上げることは作業者にとって危険な作業となる。屋根の縁で機械の重量を支えるように構成されている従来の開始用の足場によりこの危険の度合いは、減少された。
【０００４】
一般に、この発明に関連する従来の特許としてアメリカ特許第1412060、4102285、4195586、4334662および4918797号が含まれる。
【０００５】
上記の従来技術による足場にはいくつかの問題点がある。例えば、先の装置によればこれから加工されるべき接合部分自体を把持する構造であるので、接合部分の作業開始時において接合部分から機械の留め金を取り外さなければならないために作業開始が困難となる。
【０００６】
登録商標のバトラー  MR-24 ルーフシステム（Butler MR-24 Roof System）と共に、アメリカ特許第3120828号に示された登録商標のルーフ・ランナー（Roof Runner）と呼ばれる接合機械は上記の波形部分を接合するために使用される。このルーフ・ランナーを始動するためには屋根の軒を超えて置かれることが必要となる。この接合機械は従来から軒から延設される足場によって支えられた。この足場は、これから接合されるべき波形部分に対して締め付けることで固定されていた。
【０００７】
正常な接合の過程は、パネル部材を建築物の屋根の半面側に設置し、続いて反対側の屋根上に設置する。しかしながら、屋根の両側に一度に設置する作業工程もある。このような状況下では、一方の側のパネルを軒から棟まで接合し、他方の側のパネルを棟か傾斜面に沿って軒まで接合するか、または手で機械を傾斜面に沿って操作しなければならない。このように傾斜面の下端でルーフ・ランナーを保持し取り外すことは危険になる場合がある。
【０００８】
＜発明の概要＞
この発明の目的は、軒の上で安全に負荷を支持し、接合されるべき接合部分を除いた接合部分に取り付けられる屋根の接合機械の作業開始および終了用の足場の提供である。
【０００９】
これらの目的と他の目的は、後述の屋根の接合機械の作業開始および終了用の足場により達成される。
【００１０】
この新規な足場は、現在使用されている隣接する波形部分に足場を取り付けるゲートの必要性を排除でき、かつ垂直なフレームにより追加的な安全性が接合機械のオペレータに対して提供されることになる。
【００１１】
新規な足場は１２インチから２４インチの幅のパネルに取り付け可能に調整できる。
【００１２】
また、新規な足場は、余分な取り付け部分がないことから、この結果、より高い安全性を接合操作の間提供されるとともに、２倍の留め金の数を使用する。
【００１３】
また、接合操作を始めるために新規な足場をパネル接合部分に置くときに、本発明によればオペレータがルーフ・ランナー機械を真っすぐにすることを可能にする。
【００１４】
収納容積と出荷時における必要条件を最小にするために、未使用中はこの足場は折りたたまれる。
【００１５】
この足場は、切妻屋根の切妻外装部分において使用され、切妻外装部分(接合されているときに取り付けられているか否かに拘わらず）ではなく、屋根パネルの端部から支持される。
【発明を実施するための最良の形態】
【００１６】
図１に図示されるように本発明の実施例の装置は、それぞれが構造用鋼で作られたアーム12を含む１組の支持組立体11を有するフレーム10を含む。下側のスリーブ14はアームの片端に溶接され、アームの長手方向に垂直な鉛直軸に沿って延設されている。チャンネル部材16は、アームの反対側の先端においてアームを横切るようにアーム上面に溶接されており、このチャンネル部材の長さ部分がアームの長さ部分に垂直かつ水平に設けられている。アームの長さ部分に対して平行となるスロット18がそれぞれのチャンネル部材の下部に穿設されている。これらのスロットの間のピッチは、後述する理由により屋根の接合部分のピッチの２倍である。支柱20は、チャンネル部材の端部分から斜めに延設される。下側のスリーブと同軸になるように上側のスリーブ22が支柱の上側の端において溶接されている。
【００１７】
取り外し可能な管状のコラム24は、同じ鉛直軸上となるように上下の各スリーブの間に設けられている。これらのコラムは、この位置で稜部材28から上向きに垂直に延設される脚26によって下側から保持される。この脚の上側の先端は、下側のスリーブを通してコラムの下側の端まで挿入され、その位置でコラムと脚の穴を通り抜けるファスナ30によって保持される。コラムの上側の端は、ハンドル34の管状の自由端32が上側のスリーブと整列されて保持される。ハンドルの端32のカラー36によりその挿入の深さが制限される。ファスナ38とピン40(つなぎ綱42につながれた)は、上側のスリーブとコラムの中のハンドルを保持する。
【００１８】
この足場50は、両方に足場の下部に溶接されるチューブ54を通過するとともに稜部材28の貫通孔部をそれぞれ通過する横補強部材52で支持される。この横補強部材は、それ自体と稜部材の穴を通り抜けるファスナ56によって保持される。この足場は上向きに自由旋回することができるが、その下向きの運動は１組のワイヤケーブル58によって水平面で運動が終える制限がされる。それぞれのケーブルの上側の端は、ファスナ38によってコラムに固定される一方で、下側の端はボルト62によって側壁60に接続される。終わりの壁64は２つの側壁の間に延設される。この足場には、側壁の間で高くなった波形部66を有する。この波形部は、目標とする金属の屋根上の対応する接合部分のリブ形状に対応して形成される。
【００１９】
使用にあたり（図２を参照して）、この装置は、軒の近くに足場の端部が位置し、軒から傾斜面の上方に向けてアームが位置するようにして屋根上に置かれる。この装置は屋根の３つの接合部分「Ｓ」にまたがっており、中央の接合部分では足場のリブ形状の部分が動くが、外側の各接合部分はチャンネル16のスロット18が位置決めされることで装置が適切に屋根に設置されると、スロットを介してはみ出る状態になる。そこで、ゆるみ止めプライヤー「Ｐ」などの留め具をこの位置にセットして、荷重が足場に適用されても先端に移動することを防ぐようにする。以上で、作業者は接合機械を足場の上に置き、接合のための作業を開始することができる。
【００２０】
ここで本発明は、以上の記述と付随の図面以外の構成にも種々の構成が可能であり、特許請求の範囲で定義される発明から逸脱しない構成が本発明に含まれることは言うまでもない。
【図面の簡単な説明】
【００２１】
【図１】は、この発明を具体化する屋根の接合機械の作業開始および終了用の足場の立体分解図である。
【図２】は、稼働中の外観斜視図である。
【図１】
2004308417.tif 000003
【図２】
2004308417.tif 000004